(57)【要約】【課題】設置面の状態にかかわらず、オプション装置が側面に連結された状態で、画像形成装置からオプション装置に至るシート搬送経路の連続性を維持することが可能な画像形成装置、及びオプション装置を提供する。【解決手段】  処理本体部３１は、搬送ガイド６０と、揺動機構７０とを有する。揺動機構７０は、カム部７１とリンクバー７２とバネ７３とを有し、カム部７１がバネ７３の弾性力に抗して上方へ変位すると、搬送ガイド６０が揺動軸６４を中心に反時計回転方向へ揺動し、案内口６２が斜め上を向くように概ね上方へ変位する。一方、カム部７１が下方へ変位すると、搬送ガイド６０が揺動軸６４を中心に時計回転方向へ揺動し、案内口６２が斜め下を向くように概ね下方へ変位する。【選択図】図４
2019148687.tif 000002
【特許請求の範囲】
【請求項１】
内部にシート搬送路を有する装置本体と、
前記装置本体の側面に連結されるオプション装置と、を備え、
前記側面に設けられ、前記シート搬送路と外部との間でシートを受け渡しするための第１開口部と、
前記側面に設けられ、当該側面から外側へ突出する突出部と、
前記オプション装置において前記装置本体の前記側面に連結される連結面に設けられ、前記第１開口部との間でシートを受け渡しするための第２開口部と、
前記連結面に設けられ、前記オプション装置が前記側面に連結される際に前記突出部が挿通される第３開口部と、
前記オプション装置の内部に設けられ、前記第２開口部に対向するシート挿通口を有し、前記第２開口部を通るシートの搬送経路に垂直な上下方向へ揺動可能な搬送ガイドと、
前記オプション装置の内部に設けられ、前記突出部が前記第３開口部に挿通されることに応じて前記シート挿通口が上下に変位するように前記搬送ガイドを揺動させる揺動部と、を備える画像形成装置。
【請求項２】
前記揺動部は、
前記突出部を挿通可能な貫通孔を有し、上下方向へ変位可能に支持された変位部材と、
前記変位部材と前記搬送ガイドとを連結し、前記変位部材の変位方向と同方向へ前記搬送ガイドを揺動させて前記シート挿通口を上下に変位させるリンク部材と、を有し、
前記貫通孔の下側の内面には、前記突出部の当接によって前記変位部材を下方へ変位させる第１カムが設けられており、
前記貫通孔の上側の内面には、前記突出部の当接によって前記変位部材を上方へ変位させる第２カムが設けられている、請求項１に記載の画像形成装置。
【請求項３】
前記突出部は、前記側面に垂直な姿勢と前記側面に平行な姿勢との間で回動可能に前記側面に支持されている、請求項１又は２に記載の画像形成装置。
【請求項４】
前記突出部は、前記装置本体を運搬、移動、若しくは持ち上げる際に用いられる取っ手である、請求項１から３のいずれかに記載の画像形成装置。
【請求項５】
画像形成装置の装置本体の側面に連結されて用いられるオプション装置であって、
前記側面に連結される連結面に設けられ、前記装置本体との間でシートの受け渡しをするための第２開口部と、
前記連結面に設けられ、前記オプション装置が前記側面に連結される際に前記側面に設けられた突出部が挿通される第３開口部と、
前記第２開口部よりも内部側に設けられ、前記第２開口部に対向するシート挿通口を有し、前記第２開口部を通るシートの搬送経路に垂直な上下方向へ揺動可能な搬送ガイドと、
前記突出部が前記第３開口部に挿通されることに応じて前記シート挿通口が上下に変位するように前記搬送ガイドを揺動させる揺動部と、を備えるオプション装置。
【発明の詳細な説明】
【技術分野】
【０００１】
本発明は、内部にシート搬送路を有する画像形成装置に関し、特に、側面に連結されたオプション装置との間でシートの受け渡しを可能な画像形成装置に関する。
【背景技術】
【０００２】
プリンター、複写機、ファクシミリ、及びこれらの複合機のような画像形成装置から排出されるシートに対して穿孔処理やソート処理、ステープル処理などの処理を行うシート処理装置（オプション装置）が知られている。このシート処理装置は、画像形成装置の側面に連結して用いられ、画像形成装置から搬送されたシートに対して前記処理を行う。
【０００３】
シート処理装置を備える画像形成装置として、シート処理装置を取り外すことなく簡単に持ち運ぶことができる画像形成装置が提案されている（特許文献１参照）。この画像形成装置は、その側面に、画像形成装置を持ち運ぶ際にユーザーに把持される取っ手が設けられている。
【０００４】
また、シート処理装置と装置本体との連結を解除する際に操作される取っ手を備える画像形成装置も提案されている（特許文献２参照）。
【先行技術文献】
【特許文献】
【０００５】
【特許文献１】特開２０１２−２４２７０４号公報
【特許文献２】特開２００５−１８９３０９号公報
【発明の概要】
【発明が解決しようとする課題】
【０００６】
しかしながら、画像形成装置及びシート処理装置が設置される設置面は、必ずしも平坦であるとは限らず、例えば、画像形成装置の装置本体に対して、シート処理装置が上下に位置ずれした状態で連結される場合がある。この場合、画像形成装置の内部における排出口までのシート搬送路と、シート処理装置内のシート搬送路とが上下にずれることになり、前記排出口からシート処理装置の内部にシートが正確に送り込むことができないおそれがある。
【０００７】
本発明は前記事情に鑑みてなされたものであり、その目的は、設置面の状態にかかわらず、オプション装置が側面に連結された状態で、画像形成装置からオプション装置に至るシート搬送経路の連続性を維持することが可能な画像形成装置、及びオプション装置を提供することにある。
【課題を解決するための手段】
【０００８】
本発明の一の局面に係る画像形成装置は、内部にシート搬送路を有する装置本体と、前記装置本体の側面に連結されるオプション装置と、を備える。前記画像形成装置は、第１開口部と、突出部と、第２開口部と、第３開口部と、搬送ガイドと、揺動部と、を備える。前記第１開口部は、前記側面に設けられ、前記シート搬送路と外部との間でシートを受け渡しするためのものである。前記突出部は、前記側面に設けられ、当該側面から外側へ突出している。前記第２開口部は、前記オプション装置において前記装置本体の前記側面に連結される連結面に設けられ、前記第１開口部との間でシートを受け渡しするためのものである。前記第３開口部は、前記連結面に設けられ、前記オプション装置が前記側面に連結される際に前記突出部が挿通される。前記搬送ガイドは、前記オプション装置の内部に設けられ、前記第２開口部に対向するシート挿通口を有し、前記第２開口部を通るシートの搬送経路に垂直な上下方向へ揺動可能に構成されている。前記揺動部は、前記オプション装置の内部に設けられ、前記突出部が前記第３開口部に挿通されることに応じて前記シート挿通口が上下に変位するように前記搬送ガイドを揺動させるよう構成されている。
【０００９】
本発明の一の局面に係るオプション装置は、画像形成装置の装置本体の側面に連結されて用いられる。前記オプション装置は、第２開口部と、第３開口部と、搬送ガイドと、揺動部と、を備える。前記第２開口部は、前記側面に連結される連結面に設けられ、前記装置本体との間でシートの受け渡しをするためのものである。前記第３開口部は、前記連結面に設けられ、前記オプション装置が前記側面に連結される際に前記側面に設けられた突出部が挿通される。前記搬送ガイドは、前記第２開口部よりも内部側に設けられ、前記第２開口部に対向するシート挿通口を有し、前記第２開口部を通るシートの搬送経路に垂直な上下方向へ揺動可能に構成されている。前記揺動部は、前記突出部が前記第３開口部に挿通されることに応じて前記シート挿通口が上下に変位するように前記搬送ガイドを揺動させるよう構成されている。
【発明の効果】
【００１０】
本発明によれば、設置面の状態にかかわらず、オプション装置が側面に連結された状態で、画像形成装置からオプション装置に至るシート搬送経路の連続性を維持することが可能である。
【図面の簡単な説明】
【００１１】
【図１】図１は、本発明の実施形態に係るシート処理装置、及びこのシート処理装置が連結された画像形成装置の構成を示す図である。
【図２】図２は、図１の画像形成装置の内部構成を示す断面図である。
【図３】図３は、図１のシート処理装置の内部構成を示す断面図である。
【図４】図４は、シート処理装置の搬入口の近傍の構成、及び画像形成装置本体の搬送中継口の近傍の構成を示す部分拡大図である。
【図５】図５は、シート処理装置が画像形成装置本体に対して上方へずれた状態で連結されたときの搬送ガイドの動作を示す部分拡大図である。
【図６】図６は、シート処理装置が画像形成装置本体に対して下方へずれた状態で連結されたときの搬送ガイドの動作を示す部分拡大図である。
【発明を実施するための形態】
【００１２】
以下、適宜図面を参照して本発明の実施形態について説明する。以下に説明される実施形態は本発明を具体化した一例にすぎず、本発明の技術的範囲を限定するものではない。なお、説明の便宜上、図１において、本体２０が設置された状態（図１に示される状態）の鉛直方向を上下方向Ｄ１と定義する。また、操作表示パネル１７が設けられた側の面を正面（前面）として前後方向Ｄ２を定義する。また、本体２０の正面を基準に左右方向Ｄ３を定義する。
【００１３】
図１に示すように、本発明の実施形態に係る画像形成装置１０は、画像形成処理を行う画像形成装置本体２０（以下「本体２０」と略称する。）と、本体２０の左側面１４Ａに連結して用いられるシート処理装置３０（本発明のオプション装置の一例）とにより構成されている。本体２０は、本発明の装置本体の一例である。
【００１４】
［本体２０］
本体２０は、プリンターや複写機、ファクシミリのような各機能を備えた複合機である。図１に示すように、本体２０の左側面１４Ａにシート処理装置３０が連結されている。本体２０は、入力された画像データに基づく画像を、トナーを用いて、印刷用紙（本発明のシートの一例）に印刷する。なお、本体２０は複合機に限られず、プリンターやファクシミリ、複写機などであっても、本発明は適用可能である。
【００１５】
本体２０は、外部から入力された画像データや、本体２０の上部に配置されたスキャナー１１によって読み取られた画像データに基づいて、印刷用紙に画像を印刷する。図２に示すように、本体２０は、主として、スキャナー１１と、操作表示パネル１２と、電子写真方式の画像形成部１８と、定着部１９と、給紙部１５と、排紙保持部２１と、排出ローラー対２４と、を備える。これらの要素は、本体２０の外枠のカバーや内部フレームを構成する筐体１４の内部に設けられている。
【００１６】
図２に示すように、給紙部１５は、本体２０の下部に設けられている。給紙部１５は、上下方向Ｄ１に４つ配列されている。給紙部１５は、給紙トレイ１６に収容された印刷用紙を画像形成部１８へ給送する。給紙部１５によって画像形成部１８に給送された印刷用紙は、画像形成部１８によってトナー像が表面に転写された後に、定着部１９へ搬送される。なお、画像形成部１８は、光走査装置や感光体ドラム、現像部、帯電部、転写部などを有する周知の機構であるため、ここでの詳細な説明は省略する。
【００１７】
定着部１９は、ＩＨヒーターなどの加熱部を有しており、印刷用紙に転写されたトナー像を熱によってその印刷用紙に定着させる。印刷用紙が定着部１９を通過する過程において、定着部１９から熱が供給されることによりトナーが溶融される。これにより、トナー像が印刷用紙に定着して、印刷用紙に画像が定着する。定着部１９によって画像が定着された印刷用紙は、定着部１９よりも印刷用紙の搬送方向の下流側に形成された搬送路２８へ送り出される。搬送路２８に送り出された印刷用紙は、搬送路２８に沿って設けられた複数の搬送ローラー対２３によって更に印刷用紙の搬送方向の下流側へ搬送される。
【００１８】
搬送路２８は、筐体１４の内部に設けられている。搬送路２８は、本発明のシート搬送路の一例である。搬送路２８は、定着部１９から上方へ湾曲されてから上方へまっすぐに延びている。搬送路２８の印刷用紙の搬送方向の下流側は、本体２０の左側面１４Ａに設けられた搬送中継口２７（本発明の第１開口部の一例）に至っている。搬送中継口２７は、搬送路２８とシート処理装置３０との間で印刷用紙を受け渡しするための開口部であり、搬送路２８を搬送される印刷用紙は、搬送中継口２７から外部へ排出され、連結されているシート処理装置３０の内部に案内される。
【００１９】
筐体１４の内部には、搬送路２８の途中の分岐点から分岐して、上方の用紙排出口２２に至る分岐路２８Ａが設けられている。分岐路２８Ａを通って用紙排出口２２から排出された印刷用紙は、排紙保持部２１に保持される。なお、前記分岐点には、モーターやソレノイドなどの不図示の駆動部によって揺動されるフラップ２５が設けられている。フラップ２５は、印刷用紙がシート処理装置３０へ搬送される場合に、分岐路２８Ａを塞いで、印刷用紙を搬送中継口２７へ案内可能な中継位置（図２に示される位置）に配置される。
【００２０】
搬送中継口２７の近傍には、画像形成後の印刷用紙をシート処理装置３０へ搬送する排出ローラー対２４が設けられている。排出ローラー対２４は、モーターなどによって回転駆動される駆動ローラーと、この駆動ローラーに圧接された状態で従動する従動ローラーとによって構成されている。したがって、フラップ２５が前記中継位置にある場合は、印刷用紙は排出ローラー対２４によってシート処理装置３０へ搬送される。
【００２１】
本体２０の左側面１４Ａには、左側面１４Ａから外側へ突出する突出部材２９（本発明の突出部の一例）が設けられている。本実施形態では、左側面１４Ａにおいて、前後方向Ｄ２へ隔てて２つの突出部材２９が設けられている。突出部材２９は、搬送中継口２７の下側に設けられている。突出部材２９は棒状に形成されており、その基端部２９１が左側面１４Ａに回動可能に支持されている。具体的には、基端部２９１には回動軸２９２が一体に形成されており、その回動軸２９２が筐体１４の内部フレームなどに回転可能に支持されている。突出部材２９は、基端部２９１から延出する突出本体２９３を有している。突出部材２９の先端は、球面に形成されている。突出部材２９は、突出本体２９３が左側面１４Ａに垂直となる第１姿勢（図２において点線で示す姿勢）と、突出本体２９３が基端部２９１から下方へ垂れ下がり左側面１４Ａに平行となる第２姿勢（図２において実線で示す姿勢）との間で回動可能に支持されている。
【００２２】
突出部材２９の基端部２９１は、突出本体２９３に対して概ね９０度に屈曲している。このため、突出部材２９が前記第２姿勢から矢印Ｄ１１の方向へ持ち上げられて前記第１姿勢にされると、基端部２９１が左側面１４Ａに当接して、突出部材２９をそれ以上上方へ回動できないようにするストッパーとして作用する。この状態で、突出部材２９は、本体２０を運搬したり、移動させたり、持ち上げたりする際に作業者に把持される取っ手として機能する。
【００２３】
なお、図示されていないが、本体２０には、突出部材２９を前記第１姿勢で保持するロック機構が設けられている。ロック機構としては、例えば、バネ付勢されたロックピンと、突出部材２９が前記第１姿勢のときに前記ロックピンが挿入される挿入孔とにより構成される。
【００２４】
［シート処理装置３０］
シート処理装置３０は、本体２０から搬送中継口２７を通って排出（搬送）された印刷用紙に対して、後処理の一例であるステープル処理を行う装置である。シート処理装置３０が実行可能な前記後処理は、ステープル処理だけに限られない。シート処理装置３０は、例えば、穿孔処理やソート処理などを実行可能に構成されていてもよい。図１に示すように、シート処理装置３０は、本体２０の左側面１４Ａに連結されて用いられる。
【００２５】
図３に示すように、シート処理装置３０は、シート処理装置３０の上部を構成する処理本体部３１と、下部を構成する脚部３２とを備える。本実施形態では、上側の処理本体部３１にステープル処理を行うステープルユニット３５が備えられている。
【００２６】
処理本体部３１の右側面４４は、本体２０の左側面１４Ａに連結される連結面である。右側面４４に、搬送中継口２７との間で印刷用紙を受け渡しするための搬入口４６（本発明の第２開口部の一例）が設けられている。つまり、搬入口４６は、本体２０から搬送された画像形成後の印刷用紙を受け入れる入り口である。シート処理装置３０が本体２０に連結された状態で、搬送中継口２７から排出された印刷用紙は搬入口４６に入り込み、搬入口４６から後述の排出口４８に至る搬送路５０に搬送される。
【００２７】
処理本体部３１の左側面４５には、シート処理装置３０から印刷用紙を外部に排出するための排出口４８が設けられている。排出口４８に連続するように排出トレイ３６が設けられている。シート処理装置３０から排出された印刷用紙は、排出トレイ３６に保持される。
【００２８】
処理本体部３１の内部に、搬送路５０が設けられている。搬送路５０は、処理本体部３１の内部において、搬入口４６から左側へ延びている。搬入口４６から搬送路５０に搬入した印刷用紙は、搬送路５０を通ることによって、処理本体部３１の内部側へ向かう搬送方向へ案内される。
【００２９】
搬送路５０には、スタックトレイ５１が設けられている。スタックトレイ５１は、一方端（図３の左端）が排出口４８に位置している。また、スタックトレイ５１は、排出口４８から見て斜め下方に傾斜する方向へ延出されている。そして、その延出方向の先にステープルユニット３５が設けられている。ステープルユニット３５は、スタックトレイ５１に保持された束状の印刷用紙に対してステープル処理を実行する。
【００３０】
搬送路５０には、搬送路５０における印刷用紙を搬送方向下流側へ搬送する搬送ローラー対３７，３８，３９が設けられている。搬送ローラー対３７は、搬送方向上流側の端部に設けられており、搬入口４６から内部に搬入した印刷用紙を下流側へ搬送する。搬送ローラー対３８は、搬送路５０の印刷用紙をスタックトレイ５１に搬送する。搬送ローラー対３９は、搬送路５０の下流側の端部であって、排出口４８の近傍に設けられている。搬送ローラー対３９は、スタックトレイ５１や搬送路５０における印刷用紙を排出口４８から外部へ排出する。
【００３１】
図４（Ａ）は、処理本体部３１の搬入口４６の近傍の構成、及び本体２０の搬送中継口２７の近傍の構成を示す部分拡大図である。図４（Ａ）に示すように、処理本体部３１の内部には、搬送中継口２７に搬入した印刷用紙を搬送路５０に案内するための搬送ガイド６０が設けられている。搬送ガイド６０は、搬送中継口２７よりも内部側に設けられており、搬送路５０の上流側の入口と搬送中継口２７との間に配置されている。搬送ガイド６０は、ガイド本体６１と、ガイド本体６１において搬送中継口２７側（右側）の面に設けられた案内口６２（本発明のシート挿通口の一例）と、案内口６２から搬送路５０の入口に至る案内路６３と、を有する。案内口６２は、搬入口４６に対向しており、印刷用紙が案内路６３に引き込まれやすいように、搬入口４６へ向けて上下に末広がり形状に形成されている。
【００３２】
ガイド本体６１は、搬入口４６を通って搬送路５０に至る搬送経路Ｒ１に垂直な上下方向Ｄ１へ揺動可能に支持されている。ガイド本体６１には、揺動軸６４が設けられている。揺動軸６４は、案内路６３の出口の下端部近傍にガイド本体６１と一体に形成されている。揺動軸６４は、処理本体部３１の内部フレームなどに回転可能に支持されている。これにより、搬送ガイド６０は、搬送経路Ｒ１に垂直な上下方向Ｄ１へ揺動可能となる。
【００３３】
処理本体部３１の右側面４４には、本体２０との連結の際に突出部材２９の突出本体２９３が挿通される挿通口４９（本発明の第３開口部の一例）が設けられている。挿通口４９は、搬入口４６の下側に設けられている。
【００３４】
処理本体部３１において、挿通口４９よりも内部側には、揺動機構７０（本発明の揺動部の一例）が設けられている。揺動機構７０は、突出部材２９の突出本体２９３が挿通口４９に挿通されることに応じて、搬送ガイド６０の案内口６２が上下に変位するように搬送ガイド６０を揺動させるよう構成されている。本実施形態では、揺動機構７０は、２つの突出部材２９に対応して、前後方向Ｄ２へ隔てて２つ設けられている。
【００３５】
揺動機構７０は、カム部７１（本発明の変位部材の一例）と、リンクバー７２（本発明のリンク部材の一例）と、バネ７３（図３参照）と、を備えている。なお、説明の便宜上、バネ７３は図３のみに図示し、図４乃至図６ではバネ７３の図示を省略している。
【００３６】
カム部７１は、処理本体部３１の内部フレームに上下方向Ｄ１へ変位可能に支持されている。カム部７１は、例えば、上下方向Ｄ１に長いブロック形状に形成されたブロック体である。カム部７１には、挿通口４９に突出本体２９３が挿通された場合に、突出本体２９３を挿通可能な貫通孔７６が形成されている。本実施形態では、本体２０及びシート処理装置３０それぞれが平坦な設置面に設置されて、上下方向Ｄ１に位置ずれしない状態にある場合に、貫通孔７６の中心を突出本体２９３が挿通する基準位置（図４（Ａ）、（Ｂ）に示す位置）にカム部７１が保持されている。
【００３７】
図３に示すように、カム部７１を前記基準位置に保持する機構は、バネ７３によって実現している。バネ７３は圧縮コイルバネであり、その一端がカム部７１の下端部に連結されており、他端が、カム部７１の下方に位置する支持部５３に連結されている。支持部５３は、例えば、処理本体部３１の内部フレームに設けられている。これにより、バネ７３の弾性力によって、カム部７１が前記基準位置に保持されている。なお、バネ７３は、カム部７１を前記基準位置に保持可能な弾性力を付与する弾性部材であれば、如何なる構造のものでよく、また如何なる箇所に設けられていてもよい。例えば、カム部７１を上方へ引っ張り上げるようにカム部７１の上側或いは搬送ガイド６０の上側に設けられていてもよい。
【００３８】
図４（Ａ）に示すように、リンクバー７２は、カム部７１と搬送ガイド６０とを連結するものである。リンクバー７２の一端は、カム部７１の上端部に連結されており、他端が、搬送ガイド６０のガイド本体６１の下端部に連結されている。本実施形態では、カム部７１が前記基準位置に保持された状態で、搬送ガイド６０の案内路６３の中心と搬入口４６を通って搬送路５０に至る搬送経路Ｒ１とが一致するように、リンクバー７２の形状やサイズ、及び搬送ガイド６０の位置が定められている。
【００３９】
リンクバー７２の両端部それぞれは、カム部７１及びガイド本体６１に対して回動可能なように軸支されている。このため、カム部７１が上下方向Ｄ１へ変位すると、リンクバー７２もカム部７１と同方向へ変位する。
【００４０】
リンクバー７２の上端部は、ガイド本体６１において、揺動軸６４よりも右側、つまり、搬入口４６側の位置に連結されている。言い換えると、リンクバー７２とガイド本体６１との連結部７４は、揺動軸６４よりも搬入口４６側に位置している。このため、カム部７１の上下方向Ｄ１の変位に伴いリンクバー７２が上下方向Ｄ１へ変位すると、搬送ガイド６０は、揺動軸６４を中心にして、カム部７１及びリンクバー７２の変位方向と概ね同方向へ揺動する。具体的には、搬送ガイド６０は、揺動軸６４を中心にして矢印Ｄ１２の方向へ揺動する。これにより、搬送ガイド６０の案内口６２の向きが上下方向Ｄ１に変更される。つまり、リンクバー７２は、カム部７１の変位方向と同方向へ搬送ガイド６０を揺動させて案内口６２を上下に変位させる。
【００４１】
本実施形態では、カム部７１が上方へ変位すると、搬送ガイド６０が揺動軸６４を中心に反時計回転方向へ揺動し、案内口６２が斜め上を向くように概ね上方へ変位する。一方、カム部７１が下方へ変位すると、搬送ガイド６０が揺動軸６４を中心に時計回転方向へ揺動し、案内口６２が斜め下を向くように概ね下方へ変位する。
【００４２】
カム部７１は、第１カム８１を有している。第１カム８１は、所謂傾斜カムであり、貫通孔７６の下側の内面に設けられた傾斜面である。この第１カム８１は、貫通孔７６の下側の内面において、挿通口４９側（右側）へ向けて斜め下方に傾斜している。このため、仮に、突出本体２９３が挿通口４９に挿通される過程で、その先端部が第１カム８１に当接すると、第１カム８１は、バネ７３の弾性力に抗してカム部７１を下方へ変位させる。
【００４３】
具体的には、図５（Ａ）に示すように、シート処理装置３０が本体２０に対して上方へ位置ずれした状態で設置されており、この状態でシート処理装置３０が本体２０の左側面１４Ａに連結される場合、突出本体２９３が挿通口４９に挿通すると、その先端部が第１カム８１に当接する。これにより、第１カム８１によって、カム部７１はバネ７３の弾性力に抗して下方へ変位する。この変位に伴い、図５（Ｂ）に示すように、リンクバー７２が矢印Ｄ１３に示す方向（下方）へ変位し、搬送ガイド６０が矢印Ｄ１４の方向（時計回転方向）へ揺動する。その結果、案内路６３が搬送経路Ｒ１に対して上側へずれていたとしても、案内口６２の向きが斜め下側に変更される。これにより、搬送中継口２７からの印刷用紙を円滑に案内口６２に搬入させることができる。その結果、設置面の状態にかかわらず、本体２０から処理本体部３１に至る印刷用紙の搬送経路の連続性を実現することができる。
【００４４】
また、カム部７１は、第２カム８２を有している。第２カム８２は、所謂傾斜カムであり、貫通孔７６の上側の内面に設けられた傾斜面である。この第２カム８２は、貫通孔７６の上側の内面において、挿通口４９側（右側）へ向けて斜め上方に傾斜している。このため、仮に、突出本体２９３が挿通口４９に挿通される過程で、その先端部が第２カム８２に当接すると、第２カム８２は、バネ７３の弾性力に抗してカム部７１を上方へ変位させる。
【００４５】
具体的には、図６（Ａ）に示すように、シート処理装置３０が本体２０に対して下方へ位置ずれした状態で設置されており、この状態でシート処理装置３０が本体２０の左側面１４Ａに連結される場合、突出本体２９３が挿通口４９に挿通すると、その先端部が第２カム８２に当接する。これにより、第２カム８２によって、カム部７１はバネ７３の弾性力に抗して上方へ変位する。この変位に伴い、図６（Ｂ）に示すように、リンクバー７２が矢印Ｄ１５に示す方向（上方）へ変位し、搬送ガイド６０が矢印Ｄ１６の方向（反時計回転方向）へ揺動する。その結果、案内路６３が搬送経路Ｒ１に対して下側へずれていたとしても、案内口６２の向きが斜め上側に変更される。これにより、搬送中継口２７からの印刷用紙を円滑に案内口６２に搬入させることができる。その結果、設置面の状態にかかわらず、本体２０から処理本体部３１に至る印刷用紙の搬送経路の連続性を実現することができる。
【００４６】
以上説明したように、画像形成装置１０において、本体２０には突出部材２９が設けられており、処理本体部３１には、搬送ガイド６０と、揺動機構７０とが設けられている。したがって、シート処理装置３０及び本体２０が設置される設置面が平坦面でなく、例えば、本体２０に対して、シート処理装置３０が上下に位置ずれした状態で連結される場合であっても、本体２０から処理本体部３１に至る印刷用紙の搬送経路の連続性を維持することができる。これにより、本体２０の搬送中継口２７と、シート処理装置３０の搬入口４６とが上下にずれていても、搬送中継口２７から排出された印刷用紙を搬入口４６を経て搬送ガイド６０、搬送路５０に正確かつ円滑に送り込むことができる。
【符号の説明】
【００４７】
１０    ：画像形成装置
１４    ：筐体
１４Ａ  ：左側面
２０    ：画像形成装置本体
２１    ：排紙保持部
２２    ：用紙排出口
２３    ：搬送ローラー対
２４    ：排出ローラー対
２５    ：フラップ
２７    ：搬送中継口
２８    ：搬送路
２９    ：突出部材
３０    ：シート処理装置
３１    ：処理本体部
３５    ：ステープルユニット
３６    ：排出トレイ
３７    ：搬送ローラー対
３８    ：搬送ローラー対
３９    ：搬送ローラー対
４４    ：右側面
４５    ：左側面
４６    ：搬入口
４８    ：排出口
４９    ：挿通口
５０    ：搬送路
５３    ：支持部
６０    ：搬送ガイド
６１    ：ガイド本体
６２    ：案内口
６３    ：案内路
６４    ：揺動軸
７０    ：揺動機構
７１    ：カム部
７２    ：リンクバー
７３    ：バネ
７４    ：連結部
７６    ：貫通孔
８１    ：第１カム
８２    ：第２カム
【図１】
2019148687.tif 000003
【図２】
2019148687.tif 000004
【図３】
2019148687.tif 000005
【図４】
2019148687.tif 000006
【図５】
2019148687.tif 000007
【図６】
2019148687.tif 000008